(57)【特許請求の範囲】
【請求項１】
ピン・グリッド・アレーを受容するためのソケット組立体であって、
前記ピン・グリッド・アレーの複数のピンを受容する複数のソケットを有するカバーと、
内部に該カバーが配置されるハウジングであって、前記カバーは前記ハウジングに対して移動可能であり、前記ハウジングに対する前記カバーの移動により、前記ピンを前記ソケットに係合及び係合解除させる前記ハウジングと、
前記カバー及び前記ハウジング間に形成され、工具の平坦な刃を受容する湾曲形状を有する第１リセプタクルと、
工具の平坦な刃を受容する形状の第２リセプタクルと
を具備することを特徴とするソケット組立体。
【請求項２】
前記第２リセプタクルは湾曲形状を具備することを特徴とする請求項１記載のソケット組立体。
【請求項３】
前記第２リセプタクルに隣接して配置され、前記第２リセプタクルの機能を示すロック解除アイコンを更に具備することを特徴とする請求項１記載のソケット組立体。
【請求項４】
前記ピン・グリッド・アレーの前記ピンを前記ソケットから係合解除させるために、前記第２リセプタクルに隣接して配置され、前記工具の前記刃の移動方向を示す方向アイコンを更に具備することを特徴とする請求項１記載のソケット組立体。
【請求項５】
前記平坦な刃が前記第１リセプタクル内に挿入されると、前記工具の回転により前記カバーが前記ハウジングに対して移動できることを特徴とする請求項１記載のソケット組立体。
【請求項６】
前記第１リセプタクルは２個の肩部を具備することを特徴とする請求項１記載のソケット組立体。
【請求項７】
前記工具が回転する際に前記平坦な刃の側面に印加される力を前記２個の肩部が受けることを特徴とする請求項６記載のソケット組立体。
【請求項８】
前記カバー上に配置された突起と、前記ハウジング上に配置された２個の切欠きとを更に具備することを特徴とする請求項１記載のソケット組立体。
【請求項９】
前記カバーが開位置から閉位置に移行する際に、前記突起が一方の前記切欠きから他方の前記切欠きに移動することを特徴とする請求項８記載のソケット組立体。
【請求項１０】
前記第１リセプタクルに隣接して配置され、前記第１リセプタクルの機能を示すロックアイコンを更に具備することを特徴とする請求項１記載のソケット組立体。
【請求項１１】
前記ピン・グリッド・アレーの前記ピンが前記ソケットと係合するために、前記第１リセプタクルに隣接して配置され、前記工具の回転方向を示す回転アイコンを更に具備することを特徴とする請求項１記載のソケット組立体。
【発明の詳細な説明】
【０００１】
【発明の属する技術分野】
本発明は、零挿入力又は低挿入力のソケットに関し、より詳細には零挿入力又低挿入力ソケット用のアクチュエータに関する。
【０００２】
【従来の技術】
ピン・グリッド・アレー（ＰＧＡ）パッケージは、ソケットに挿入するために底部から突出する固いピンを有する正方形又は矩形の集積回路（ＩＣ）パッケージである。ＰＧＡパッケージは、半田付けすることなく保持する零挿入力（ＺＩＦ）ソケット等のソケットに挿入されるので、容易に交換可能である。ＰＧＡパッケージを交換したい場合、今あるＰＧＡパッケージは、ソケットから単に取り出すことにより容易且つ迅速に取り外し、新たなＰＧＡパッケージをその場所に挿入することができる。ＰＧＡパッケージは、約２０〜２５年間も使用されてきており、パーソナル・コンピュータ（ＰＣ）業界が提供する交換可能性のため、ＰＣ業界では特に普及している。マイクロプロセッサＩＣチップがより高速になるにつれて、これらＩＣチップが収容されるＰＧＡパッケージは、容易に取り外され、より高速なマイクロプロセッサＩＣチップを収容するＰＧＡパッケージに置換され得る。
【０００３】
代表的なＺＩＦソケットは、取り付けたＣＰＵ部品を移動するための駆動装置を具備する。例えば、公知のＺＩＦソケットは、露出したレバー及び埋設された回転バーからなる駆動装置を具備する。回転バーは、一端でレバーに連結され、多数のカム部即ちクランク軸部を更に具備する。回転バーが基部に対して垂直方向直角に位置すると、ＣＰＵ部品のピンはＺＩＦ状態でソケット内に挿入できる。続いて、作業者はレバーを手動で水平位置に押下すると、回転バーのカム部即ちクランク軸部がＣＰＵ部品を水平方向に移動し、ＣＰＵ部品のピンがソケットの対応するコンタクトと係合する。
【０００４】
対照的に、レバーが０°（水平位置）から９０°（垂直位置）に移動すると、カバーが水平逆方向に移動できる。従って、ソケットのコンタクト及びＣＰＵ部品の対応するピンは係合を解除され、ＣＰＵ部品はソケットから離脱可能になる。
【０００５】
レバーは水平位置に配置されると、この配置でのレバーが印刷回路基板に近接するので印刷回路基板上の空間が占領され、印刷回路基板上の空間を無駄にする。別の観点から、レバー付近には多数の電気部品があるので、レバーを操作するには不便である。
【０００６】
【発明が解決しようとする課題】
従って、本発明は、接続を駆動するアクチュエータ上に空間を必要としない零挿入力又は低挿入力ソケットを開発することを目的とする。
【０００７】
【課題を解決するための手段】
本発明は、ねじ回し又は他の同様の工具を使用することにより、駆動され得る零挿入力又は低挿入力接続用のアクチュエータを提供することより、上述の問題点を解決する。更に、本発明は、ねじ回し又は他の同様の工具のエッジの代わりにそれら工具の側面を使用してソケットを駆動するねじ回し又は他の同様の工具を提供することにより、ソケットアクチュエータに対する損傷を防止する。
【０００８】
本発明の一側面によれば、ピン・グリッド・アレーを受容するソケット組立体は、カバー、ハウジング及び少なくとも１個のリセプタクルを具備する。カバーは、ピン・グリッド・アレーのピンを受容する多数のソケットを具備する。ハウジングは、ハウジングに対して移動可能なカバーを保持する。ハウジングに対するカバーの移動により、ピンをソケットに係合及び係合解除させる。リセプタクルは、カバー及びハウジング間に形成され、工具の平坦な刃を受容する湾曲形状を有する。
【０００９】
本発明の別の側面によれば、上記ソケット組立体において、平坦な刃がリセプタクル内に挿入されると、工具の回転によりカバーがハウジングに対して移動できる。
【００１０】
本発明の別の側面によれば、上記ソケット組立体において、第１リセプタクルは２個の肩部を具備する。
【００１１】
本発明の別の側面によれば、上記ソケット組立体において、工具が回転すると平坦な刃の側面に印加される力を２個の肩部が受ける。
【００１２】
本発明の別の側面によれば、上記ソケット組立体において、第２リセプタクルは、工具の平坦な刃を受容する形状を具備する。
【００１３】
本発明の別の側面によれば、上記ソケット組立体において、第２リセプタクルは湾曲形状を具備する。
【００１４】
本発明の別の側面によれば、上記ソケット組立体において、突起がカバー上に配置され、２個の切欠きがハウジング上に配置される。
【００１５】
本発明の別の側面によれば、上記ソケット組立体において、カバーが開位置から閉位置に移行する際に、突起が一方の切欠きから他方の切欠きに移動する。
【００１６】
本発明の別の側面によれば、上記ソケット組立体において、リセプタクルの機能を示すロックアイコン（ロック図形記号）が第１リセプタクルに隣接して配置される。
【００１７】
本発明の別の側面によれば、上記ソケット組立体において、ピン・グリッド・アレーのピンがソケットと係合するために工具の回転方向を示す回転アイコンが第１リセプタクルに隣接して配置される。
【００１８】
本発明の別の側面によれば、上記ソケット組立体において、第２リセプタクルの機能を示すロック解除アイコンが第２リセプタクルに隣接して配置される。
【００１９】
本発明の別の側面によれば、上記ソケット組立体において、ピン・グリッド・アレーのピンをソケットから係合解除させるために工具の刃の移動方向を示す方向アイコンが第２リセプタクルに隣接して配置される。
【００２８】
【発明の実施の形態】
以下、添付図面を参照して本発明の実施形態を説明する。図１は、本発明のマイクロ・ピン・グリッド・アレー・ソケットの実施形態を示す斜視図である。図２は、図１の実施形態の部分詳細平面図である。図３は、図２の実施形態の部分詳細図である。図４は、本発明のソケット駆動リセプタクルの別の実施形態を示す詳細図である。図５は、駆動リセプタクル内にねじ回し又は他の同様の工具を挿入した状態を示す、図４のソケット駆動リセプタクルの詳細図である。図６は、本発明のソケットにピン・グリッド・アレーを挿入する状態を示す斜視図である。図７は、本発明のソケットに実装されたピン・グリッド・アレーの側面図である。図８は、ソケットにピン・グリッド・アレーを嵌合する、ねじ回しの使用状態を示す斜視図である。図９は、ソケットからピン・グリッド・アレーを嵌合解除する、ねじ回しの使用状態を示す斜視図である。図１０は、開状態の図３の実施形態の部分の詳細平面図である。図１１は、閉状態の図３の実施形態の部分の詳細平面図である。図１２は、ＣＰＵ集積回路に使用されるようなピン・グリッド・アレーを受容する従来のソケット組立体を示す斜視図である。
【００２９】
本発明は、ねじ回しで駆動するＺＩＦ（ＳＡＺ）ソケットに関する。このソケットは、高価な挿入・抜去工具を要することなく、多数のピンを有するマイクロＰＧＡデバイスの設置及び交換の際に、損傷をなくすように設計されている。本発明のマイクロＰＧＡソケットは、零挿入力で嵌合及び嵌合解除することを特徴とする。ＳＡＺソケットは、空のソケットを「開」位置に維持するカバーを有する。このソケットそ駆動するためは、標準的な0.635mm幅のねじ回しのみが必要である。
【００３０】
図１２には、例えばＰＧＡからのピン・グリッド・アレーを受容する従来のソケット組立体７０が示される。組立体７０はカバー７１及びハウジング７２からなる。カバー７１は、ハウジング７２に対して移動してＰＧＡを所定位置にロックするか、又はＰＧＡとの嵌合を解除する。ソケットの１行７３及び１列７４のみが示されるが、従来の設計は、通常、２４行２６列等の多数の行列からなる。
【００３１】
ハウジング７２に対してカバー７１を移動するために、レバー及びかむ組立体（図示せず）が使用される。レバーを押下すると、カムが図１２のスロット７５内で回転し、矢印１８で示される方向にカバー７１を移動する。カバー７１を逆方向に移動させるためにレバーが持ち上げられると、別のカムを回転してカバー７１が戻る。
【００３２】
図１には、本発明のソケット組立体１０の実施形態が示される。ソケット組立体１０はカバー１１及びハウジング１２を具備する。ソケット組立体１０は２６行２４列のソケット１６を具備するが、ソケット１６の実際の数はこの実施形態の限定されない。本発明の範囲から離れることなく、本発明のソケット組立体１０には、いかなる数のソケット１６も使用することができる。
【００３３】
ＰＧＡ４１（図６参照）は、ソケット組立体１０（図７参照）内に挿入され、その位置で軽く押圧され、ハウジング１２に対してカバー１１を横方向に移動することにより、その位置にロックされる。ねじ回し又は同様の工具（図８および図９参照）をリセプタクル１３内に挿入し、ねじ回しを（本実施形態では）時計回りに回転することにより、横方向の移動が生ずる。この回転がカバー１１をハウジング１２に対して矢印１８の方向に横に移動することにより、ＰＧＡ４１のピンがソケット組立体１０のソケット１６と係合する。
【００３４】
図２には、ソケット組立体１０の一部の詳細が平面図で示される。ソケット組立体１０が開位置にある場合、即ちＰＧＡ４１のピンがソケット１６と係合していない場合、ソケットリセプタクル１３が配置されるカバー１２の縁において、カバー１１及びハウジング１２間の空間はない。
【００３５】
また、図２には、ＰＧＡ４１をソケット組立体１０にロックするためにねじ回しの回転方向を示す視覚指示器即ちアイコン１４，１５（図１の要素２０，２１も併せて参照）が示される。指示器１５と対をなす錠の形態の表示器１４は、ねじ回しを時計回りに回転すると、ＰＧＡ４１のピンがソケット組立体１０のソケット１６にロックすることをユーザに知らせる。同様に、アイコン２０，２１は、ねじ回しをリセプタクル１９内に挿入しハウジング１２に対してカバー１１をアイコン２１で示される方向に移動すると、ＰＧＡ４１をロック解除することをユーザに知らせる。ロック解除アイコン２０はこのことをユーザに示す。
【００３６】
図３には、ソケット組立体１０の一部の更に詳細な平面図が示される。ディテント組立体１７は、ＰＧＡ４１のピンがソケット１６に係合完了すると、ユーザに節度感を与える。カバー１１がハウジング１２に対して矢印１８の横方向に可能な限り遠くに移動すると、ディテント組立体１７は、ユーザにクリック感を与え、更なるねじ回しの回転が不要であることを知らせる。これにより、ソケットリセプタクル１３に過度の力が及ぼされるのを防止する。ディテント組立体１７の詳細は、図１０及び図１１で見ることができる。
【００３７】
図４には、本発明のソケットリセプタクルの別の実施形態が示される。本実施形態において、ソケットリセプタクルは、ねじ回しの回転がＰＧＡ４１と係合するように図１ないし図３における回転と逆になるような形状である。換言すると、本実施形態では、ＰＧＡ４１のピンがソケット組立体１０のソケットと係合するために、ねじ回しを反時計回りに回転しなければならない。ＰＧＡ４１のピンをソケット組立体のソケット１６から係合解除するために、ねじ回しを時計回りに回転しなければならない。
【００３８】
図１ないし図３および図４の別の実施形態に見られるように、特殊形状のリセプタクル１３は、従来のレバー及びカム組立体の位置で使用される。ソケット組立体１０は種々の実施形態をとることが可能である。特殊形状のリセプタクル１３の一方は、ソケット組立体１０の各側面に配置されてもよい。一方はＰＧＡのピンをソケット組立体１０のソケット１６と係合させるためのものであり、他方はＰＧＡのピンをソケット組立体１０のソケット１６から係合解除させるためのものである。
【００３９】
あるいは、図１に示されるように、ピンをソケット１６から係合解除させるために矩形リセプタクル１９を使用できる。係合解除するのに要する力がピンをソケット１６に係合させる力より非常に小さいので、特殊形状のリセプタクル１３がＰＧＡ４１の係合解除には不要であるからである。リセプタクル１３の形状は、プラスチック製リセプタクル１３に対する損傷を防止するため、ねじ回しからのリセプタクル１３上の力を最小にするよう設計されている。ピン数が多いと、ピンをソケット１６に係合させる力が大きくなり、特殊形状のリセプタクル１３を設けないとプラスチック製リセプタクル１３を損傷するであろう。
【００４０】
リセプタクル１３は、カバー１１及びハウジング１２間に設けられた空間により形成される。例えば、ねじ回しの刃をリセプタクル１３内に挿入し、刃を回転すると、カバー１１がハウジング１２に対して移動することにより、公知の方法でＰＧＡ４１のピンをソケット組立体１０のソケット１６に係合させる。例えば、ねじ回しの刃をリセプタクル１９内に挿入し、刃を回転すると、カバー１１がハウジング１２に対して移動することにより、公知の方法でＰＧＡ４１のピンをソケット組立体１０のソケット１６から係合解除させる。
【００４１】
図５には、ねじ回しの刃２６がリセプタクル１３内に挿入された状態の図４のリセプタクルの実施形態が示される。リセプタクル１３の形状は、ハウジング１２及びカバー１１の成形されたプラスチック部品への損傷を防止するよう選択されている。リセプタクル１３に肩２２，２３，２４，２５を設けることにより、リセプタクル１３の肩２２，２３，２４，２５に印加される力は、成形されたプラスチック製部品を損傷しない196〜218Ｎに達する。この力は、ＰＧＡのピンをソケット１６に係合させるのに必要である。リセプタクル１３の形状によって、刃２６の鋭利なエッジ２８よりもねじ回し２６の側面２９により、リセプタクル１３に対して力が印加される。ねじ回し２６の回転の際、リセプタクル１３が力を受ける点は、リセプタクル１３の肩２２，２３，２４，２５に沿って連続的に移動する。例えば、矢印２７に沿った刃２６の回転の際、刃２６により印加される力は、肩２３，２５で刃２６の側面２９により印加されるが、鋭利なエッジ２８は、リセプタクル１３のいかなる部分とも接触することなく自由に移動する。
刃２６を矢印２７とは逆方向に回転すると、刃２６がリセプタクル１３に対して印加する力は、刃２６の側面２９により肩２２，２４で印加され、上述のように、刃２６の鋭利なエッジ２８は、リセプタクル１３のいかなる部分とも接触することなく自由に移動する。この結果、リセプタクル１３の形状は、リセプタクル１３の肩２２，２３，２４，２５が刃２６の側面２９との接触状態を確実に保つように設計される。これにより、刃２６が印加しリセプタクル１３が受ける力は、いつの時点であってもリセプタクル１３の肩部２２，２３，２４，２５で受ける。リセプタクル１３の設計形状によって、刃２６の一側面２９がリセプタクル１３の肩２２，２３，２４，２５と接触する場所に実質的な支点を形成する。この支点は、プラスチック成形されたリセプタクル１３を損傷し得るねじ回しのエッジ２８よりも、ねじ回しの側面２９が力を印加することを可能にする。リセプタクル１３は、刃２６のエッジ２８がリセプタクル１３に接触することなく移動できるように設計される。
【００４２】
リセプタクル１３の別の設計形状は、開放端を有する２個の肩部、又は２個の丸められたバンプを具備する。他の可能な設計形状は、当業者には本明細書の開示に基づいて明白であろう。
【００４３】
図６には、ソケット組立体１０へのＰＧＡ４１の挿入が示される。ＰＧＡ４１の隅のマーカー４２は、ユーザがピンをソケット１６に正しく揃えるために使用できるように、ソケット１６のアレーの欠けているソケットに合わせる。
【００４４】
図７には、ソケット組立体１０に挿入されたＰＧＡ４１の側面が示される。指４３は、ＰＧＡ４１がソケット組立体１０のカバー１１の底面に対して平坦であることを保証するために、ユーザがＰＧＡ４１の上面に小さな力を加えなければならないことを示す。
【００４５】
図８を参照すると、ＰＧＡ４１がソケット組立体１０に一旦挿入されると、ねじ回し５１がソケットに挿入され、本実施形態では時計回りに回転されてピンをソケット１６に係合させる。
【００４６】
図９を参照すると、ソケット組立体１０のソケット１６からＰＧＡ４１のピンを係合解除するために、ねじ回し５１は、ソケット組立体上面（組立体を係合させるのに使用されるリセプタクル１３とは反対側）のリセプタクル５２に配置され、時計回りに回転される。
【００４７】
図１０はディテント組立体１７の詳細図であり、カバー１１のエッジの突起６１は、カバー１１がハウジング１２に対して移動すると、ハウジング１２の２個の切欠き６２，６３間に移動する。図１０は、ソケット組立体１０が開位置にある場合のディテント組立体１７を示す。この位置では、ＰＧＡ４１のピンは、ソケット組立体１０のソケット１６と係合していない。ねじ回し５１の動作の結果、ハウジング１２に対してカバー１１が移動すると、閉位置ディテント組立体を示す図１１に示されるように、突起は切欠き６３から切欠き６２に移動する。この閉位置は、ＰＧＡ４１のピンがソケット組立体１０のソケット１６と係合するときである。ねじ回し５１の動作がピンをソケット１６から係合解除すると、ディテント組立体１７は、図１１に示された位置から図１０に示された位置まで変位する。突起が一方の切欠き６２，６３から他方に移動すると、カバー１１がハウジング１２に対して移動を完了したことを示す節度感をユーザに与える。これにより、ユーザはソケットアクチュエータ１３に対して過度の力を印加しないことを保証する。
【００４８】
まとめると、本発明は、回路基板上の付加的な空間を占有することなく、ＰＧＡをソケット組立体に係合及び係合解除させる、迅速で簡単に製造できる技法を提供する。
【図面の簡単な説明】
【図１】本発明のマイクロ・ピン・グリッド・アレー・ソケットの実施形態を示す斜視図である。
【図２】図１の実施形態の部分詳細平面図である。
【図３】図２の実施形態の部分詳細図である。
【図４】本発明のソケット駆動リセプタクルの別の実施形態を示す詳細図である。
【図５】駆動リセプタクル内にねじ回し又は他の同様の工具を挿入した状態を示す、図４のソケット駆動リセプタクルの詳細図である。
【図６】本発明のソケットにピン・グリッド・アレーを挿入する状態を示す斜視図である。
【図７】本発明のソケットに実装されたピン・グリッド・アレーの側面図である。
【図８】ソケットにピン・グリッド・アレーを嵌合する、ねじ回しの使用状態を示す斜視図である。
【図９】ソケットからピン・グリッド・アレーを嵌合解除する、ねじ回しの使用状態を示す斜視図である。
【図１０】開状態の図３の実施形態の部分の詳細平面図である。
【図１１】閉状態の図３の実施形態の部分の詳細平面図である。
【図１２】ＣＰＵ集積回路に使用されるようなピン・グリッド・アレーを受容する従来のソケット組立体を示す斜視図である。
【符号の説明】
１０          ソケット組立体
１１          カバー
１２          ハウジング
１３          第１リセプタクル
１６          ソケット
１９          第２リセプタクル
２３，２５    肩
４１          ピン・グリッド・アレー
５１          工具
６１          突起
６２，６３    切欠き
【図１】
0004568872.tif 000002
【図２】
0004568872.tif 000003
【図３】
0004568872.tif 000004
【図４】
0004568872.tif 000005
【図５】
0004568872.tif 000006
【図６】
0004568872.tif 000007
【図７】
0004568872.tif 000008
【図８】
0004568872.tif 000009
【図９】
0004568872.tif 000010
【図１０】
0004568872.tif 000011
【図１１】
0004568872.tif 000012
【図１２】
0004568872.tif 000013